(57)【特許請求の範囲】
【請求項１】
横方向の撮像範囲が定められており，原稿を撮像し，この原稿の画像を表わす画像データを出力する撮像手段，
上記撮像手段から出力された画像データを記憶するバッファ・メモリ，
上記バッファ・メモリに記憶された画像データを，上記原稿の画像を複数のブロックで分けたときの１ブロック単位で圧縮するデータ圧縮手段，
上記データ圧縮手段によって圧縮された画像データを着脱自在に装着可能な記録媒体に記録するように制御する記録制御手段，
スキャナに装着されている記録媒体の残容量を検出する検出手段，
上記検出手段によって検出された残容量にもとづいて，スキャナに装着されている記録媒体に画像データを記録できる原稿の枚数を算出する算出手段，および
スキャナの筐体面に表示画面が形成されており，上記表示画面に，上記算出手段によって算出された枚数を表示する表示装置，
を備えたスキャナ。
【請求項２】
上記データ圧縮手段によって圧縮された画像データを出力する手段をさらに備えた請求項１に記載のスキャナ。
【請求項３】
横方向の撮像範囲が定められており，原稿を撮像し，この原稿の画像を表わす画像データを得るスキャナにおいて，
上記撮像により得られた画像データを記憶するバッファ・メモリを設けておき，
上記バッファ・メモリに記憶された画像データを，上記原稿の画像を複数のブロックで分けたときの１ブロック単位で圧縮し，
上記データ圧縮手段によって圧縮された画像データを着脱自在に装着可能な記録媒体に記録し，
スキャナに装着されている記録媒体の残容量を検出し，
検出された残容量にもとづいて，スキャナに装着されている記録媒体に画像データを記録できる原稿の枚数を算出し，
スキャナの筐体面に表示画面が形成されており，上記表示画面に，算出された枚数を表示する，
スキャナの制御方法。
【発明の詳細な説明】
【０００１】
【技術分野】
この発明は，対象画像を撮像し，この対象画像を表す画像データを出力するスキャナおよびその制御方法に関する。
【０００２】
【発明の背景】
写真などの原稿（対象画像）を画像データとしてコンピュータ装置に取り込むにはスキャナが利用される。スキャナに含まれる撮像素子としてのライン・センサによって原稿が撮像される。原稿の画像を表す画像データがスキャナから出力ポートを通して出力され，コンピュータ装置に与えられ，記憶される。
【０００３】
コンピュータ装置と接続可能なスキャナはコンピュータ装置と接続されることによってその機能を発揮するものである。コンピュータ装置と切り放してスキャナ単体では原稿を読み取ることはできないのが一般的である。
【０００４】
このために，画像データを記憶するメモリをスキャナに備え，画像データを出力ポートから出力することのほかにメモリに画像データを記憶させることが可能なスキャナも開発されつつある。
【０００５】
メモリに画像データを記憶させる場合には，データ圧縮することが一般的である。データ圧縮させるためには撮像によって得られた画像データをバッファ・メモリに一時記憶する必要がある。ところが，対象画像を送りながら撮像する種類のスキャナでは横方向（幅方向）の撮像範囲を規定しても縦方向の撮像範囲を規定できない。すなわち，どの位の対象画像の長さのものを撮像するか分からない。したがって一画面分の画像データ量を規定できず，一画面分の画像データを記憶するバッファ・メモリを定めることもできない。
【０００６】
【発明の開示】
この発明は，横方向の撮像範囲を規定したスキャナにおいて，撮像によって得られた画像データを圧縮し，記録媒体に記録できるようにすることを目的とする。
【０００７】
この発明によるスキャナは，横方向の撮像範囲が定められており，対象画像を撮像し，この対象画像を表わす画像データを出力する撮像手段，上記対象画像を複数ブロックに分けたときに，１ブロックを構成するライン数以上であり，かつ上記横方向の撮像範囲と同じ縦方向の範囲に入る複数ライン分の画像を表わす上記撮像手段から出力された画像データを記憶する容量をもつバッファ・メモリ，上記バッファ・メモリに記憶された画像データを，上記の１ブロック単位で圧縮するデータ圧縮手段，および上記データ圧縮手段によって圧縮された画像データを記録媒体に記録するように制御する記録制御手段を備えていることを特徴とする。
【０００８】
この発明は，上記スキャナに適した制御方法も提供している。すなわち，この方法は，横方向の撮像範囲が定められており，対象画像を撮像し，この対象画像を表わす画像データを得るスキャナにおいて，上記対象画像を複数ブロックに分けたときに，１ブロックを構成するライン数以上であり，かつ上記横方向の撮像範囲と同じ縦方向の範囲に入る複数ライン分の画像を表わす上記撮像手段から出力された画像データを記憶する容量をもつバッファ・メモリを設けておき，上記バッファ・メモリに記憶された画像データを，上記の１ブロック単位で圧縮し，上記データ圧縮手段によって圧縮された画像データを記録媒体に記録するように制御するものである。
【０００９】
この発明によると，上記対象画像を複数ブロックに分けたときに，１ブロックを構成するライン数よりも多く，かつ上記横方向の撮像範囲と同じ縦方向の範囲に入る複数ライン分の画像を表わす上記撮像手段から出力された画像データを記憶する容量をもつバッファ・メモリが設けられている。上記バッファ・メモリに記憶された画像データは読み出され，上記の１ブロック単位で圧縮される。圧縮された画像データが記録媒体に記録される。
【００１０】
撮像範囲を規定できない対象画像であっても，対象画像を撮像し，画像データをバッファ・メモリに一時記憶させることができ，データ圧縮した画像データを記録媒体に記録できる。
【００１１】
上記データ圧縮手段によって圧縮された画像データを出力する手段をさらに備えることが好ましい。スキャナをパーソナル・コンピュータなどと接続することにより，圧縮画像データを，パーソナル・コンピュータなどに取り込むことができる。
【００１２】
上記対象画像のエッジ部分に上記の１ブロックを構成できる量の画素が存在しないときには，上記の１ブロック内に存在する画素を表わす画像データを除いてデータ圧縮する，または上記の１ブロックを構成できる量の画素となるように上記の１ブロック内に存在する画素を表わす画像データにダミー画像を付加してデータ圧縮してもよい。
【００１３】
【実施例の説明】
図１はケーブルによって接続されたスキャナ10とコンピュータ装置１とを示している。
【００１４】
コンピュータ装置１にはＣＲＴ表示装置２，キーボード５およびマウス６が接続されている。コンピュータ装置１には，ＦＤ７の挿入口３およびＣＤ−ＲＯＭ８の挿入口４が形成されている。
【００１５】
スキャナ10は，原稿を撮像して原稿に表された画像の画像データを出力しケーブルで接続されたコンピュータ装置１に記憶させることができる。またスキャナ10はメモリ・カード50の装着が可能であり，装着されたメモリ・カード50に画像データを記憶することができる。
【００１６】
スキャナ10の前面の右下隅には，メモリ・カード50の挿入口12が形成されている。また，スキャナ10の前面には，スキャナ10の前面の横方向のほぼ全部にわたって原稿の挿入口11が形成されている。スキャナ10の後面にはスキャナ10によって読み取られた原稿を放出する放出口（図示略）が形成されている。さらに，スキャナ10の後面には放出口から放出された原稿を受け取るためのトレイ17が設けられている。
【００１７】
スキャナ10の上面にはほぼ全域に表示画面20が形成されている。スキャナ10の上面の左端部には回転自在なスクロール・スイッチ16が設けられている。さらに，スキャナ10の上面の手前右隅には，原稿の読み取りをスタートおよびストップするためのスタート・ストップ・スイッチ15が形成されており，上面の手前左隅にはスキャナ10の各種モードを設定するためのモード設定スイッチ13ならびにメモリ・カード50に記憶された画像データの再生指令および消去指令を与えるスイッチ14が形成されている。
【００１８】
図２にスキャナ10の平面図が示されている。この図においてトレイ17は図示が省略されている。
【００１９】
表示画面20には，表示画面20のほぼ全部にわたって画像表示領域23が形成されている。この画像表示領域23には，スキャナ10によって読み取られている原稿に表された画像が，原稿の読み取りに合わせて表示される。
【００２０】
表示画面20の左端部には，画像データの出力先を表す出力先表示領域21が含まれている。出力先表示領域21には後述のように，モード設定スイッチ13によってオート・モードが設定されているときにその旨を表示する領域25，スキャナ10にメモリ・カード50が装着されているときにメモリ・カード50のアイコンが表示される領域26，スキャナ10にコンピュータ装置１が接続されているときにコンピュータ装置のアイコンが表示される領域27およびダイレクト・アクセス（コンピュータ装置１から画像データを出力し，スキャナ10に装着されているメモリ・カード50に画像データを記憶させるもの，またはスキャナ10に装着されているメモリ・カード50に記憶されている画像データを読取り，スキャナ10に接続されているコンピュータ装置１に画像データを出力するもの）が選択されているときに画像データの出力先を表す矢印が表示される領域28が含まれている。
【００２１】
この実施例によるスキャナでは読み取った原稿が表す画像の画像データを，圧縮率の低い低圧縮と圧縮率の高い高圧縮との２段階で圧縮することができる。画像データが圧縮されて読み取られているか，圧縮されて読み取られていればその圧縮が低圧縮か高圧縮かの情報が表示画面20に表示される。また，ダイレクト・アクセスが設定されているときにはその情報も表示画面20に表示される。再生／消去スイッチ14によって画像データの消去が設定されているときにはその情報も表示画面20に表示される。
【００２２】
また，表示画面20にはスキャナ10に装着されているメモリ・カード50の残容量を表わす表示部22も形成されている。
【００２３】
図３は，スキャナ10の電気的構成を示すブロック図である。
【００２４】
スキャナ10の全体の動作は，制御装置30によって統括される。
【００２５】
スキャナ10に形成されている各種スイッチの設定を表す信号は制御装置30に入力する。
【００２６】
挿入口11に原稿が挿入され，光源31によって原稿が照射される。制御装置30によって制御される機械制御装置41により一定の速度で原稿が送られる。スキャナ10の横方向にライン・センサ32が設けられている。このライン・センサ32によって，一定速度で送られている原稿が撮像され，原稿の画像を表す画像データがライン・センサ32から出力される。ライン・センサ32を構成するセンサの数によって撮像可能な横方向（主走査方向）の範囲が定まる。
【００２７】
ライン・センサ32から出力された画像データは表示装置20（分かりやすくするために，表示装置も表示画面と同じ符号を付する）を介してバッファ・メモリ24に与えられる。
【００２８】
バッファ・メモリ24は，８ライン分に相当する画像（図５参照）を表す画像データを記憶できる容量をもつ。表示装置20に入力した画像データはバッファ・メモリ24に与えられ，順次更新されていく。バッファ・メモリ24に記憶されている画像データが読み出されることにより，バッファ・メモリ24に記憶されている画像データによって表される数行分に相当する画像が画像表示領域23に表示される。
【００２９】
この実施例のスキャナにおいては画像データはデータ圧縮される。このデータ圧縮は次のようにして行われる。図５を参照して，原稿を表わす画像が８画素×８画素からなる多数のブロックに分けられる。１ブロック分の画像データがバッファ・メモリ24から読み出され，画像圧縮回路33に入力する。画像圧縮回路33において１ブロックごとにＤＣＴ（Discrete Cosine Transform ）変換されることによりデータ圧縮される。
【００３０】
大容量のバッファ・メモリを設けることなく，８ライン分の画像データを記憶できるバッファ・メモリ24を設けるだけでブロックごとのデータ圧縮が可能となる。もっとも制御装置30には画像圧縮回路33によるデータ圧縮に用いられるワーク用のメモリが含まれているのはいうまでもない。
【００３１】
画像データの圧縮率は後述のようにスクロール・スイッチ16によって設定される。画像圧縮回路33に入力した画像データは，スクロール・スイッチ16によって設定された圧縮率にしたがって圧縮される。画像圧縮回路33によって圧縮された画像データは，切替回路34に与えられる。画像データの出力先に応じて，画像圧縮回路33における圧縮率を決定するようにしてもよい。メモリ・カード50の容量は比較的少ないので，画像データをメモリ・カード50に記憶するときには高圧縮とされ，画像データをコンピュータ装置１に出力するときには低圧縮（または非圧縮）とされよう。
【００３２】
図５に示すように原稿を表わす画像を８画素×８画素からなる多数のブロックに分けたときには，原稿を表わす画像のエッジの部分において，１ブロックを構成できる数の画素が存在しないことがある。たとえば原稿を表わす画像をブロックに分けた場合に図６に示すように原稿を表わす画像のエッジの部分において，ハッチングで示すように画像が存在せず，１ブロックを構成できないことがある。このような場合には画像が存在する部分の画像データ（図６では主走査方向に５画素，副走査方向に８画素の部分の画像データ）を取り除いてデータ圧縮する。または，ハッチングで示すように画像が存在しない部分（図６では主走査方向に３画素，副走査方向に５画素の部分）に，黒い画像を表わすダミー画像データを付加する。これにより８画素×８画素のブロックが構成され，データ圧縮が行われる。
【００３３】
スキャナ10は，上述のように読み取った原稿の画像データのコンピュータ装置１への出力およびメモリ・カード50への記憶が可能である。画像データをコンピュータ装置１に送信するためにスキャナ10にはインターフェイス35が設けられている。また上述のように，メモリ・カード50の挿入口12がスキャナ10に形成されている。切替回路34は，画像圧縮回路33から出力された画像データをインターフェイス35に与えることと，メモリ・カード挿入口12に与えることとを，制御装置30からの切替制御信号にもとづいて切り換える。さらに，切替回路34はインターフェイス35とメモリ・カード挿入口12との間で画像データの送信が相互に可能なように切り換えられる。
【００３４】
さらに，スキャナ10にはインターフェイス35にケーブルが装着され，スキャナ10とコンピュータ装置10とが接続されたことを検出するコンピュータ接続検出回路36が設けられている。コンピュータ接続検出回路36からの接続検出信号は制御装置30に入力する。
【００３５】
また，スキャナ10には，メモリ・カード挿入口12にメモリ・カード50が装着されていることを検知するメモリ・カード装着検知スイッチ37が設けられている。メモリ・カード50には画像データの書き込みを禁止するライト・プロテクト機能があり，スキャナ10に装着されたメモリ・カード50が画像データの書込みが禁止されているものかどうかを検出する書込み禁止検出回路38も設けられている。メモリ・カード装着禁止回路37から出力される検知信号および書込み禁止検出回路38から出力される検出信号は，制御装置30に入力する。
【００３６】
メモリ・カード50には画像データを記憶する画像データ記憶領域と画像データへのパスを含む各種情報を記憶するヘッダ領域とが含まれている。このヘッダ領域には，メモリ・カード50の残容量を表すデータも記憶されている。スキャナ10にメモリ・カード50が装着されると，メモリ・カード50に記憶されているメモリ・カード50の残容量を表すデータが制御装置30に与えられ，制御装置30によってメモリ・カード50の残容量が検出される。もっともメモリ・カード50の残容量を表すデータがメモリ・カード50に記憶されていない場合であってもメモリ・カード50の画像データ記憶領域の中の空領域を検出することによりメモリ・カード50の残容量を検出できる。
【００３７】
またスキャナ10にはデータを一時記憶するためのメモリ42が制御装置30に接続されている。このメモリ42にはスキャナ10によって原稿が撮像されるごとに，その原稿についての情報（たとえば原稿の大きさ，原稿に表されている画像のデータ量など）が記憶されていく。
【００３８】
スキャナ10には圧縮された画像データを伸長する画像データ伸長回路39が含まれている。メモリ・カード50に圧縮された画像データが記憶されており，非圧縮の画像データをコンピュータ装置１に送信する場合には画像データ伸長回路39においてデータ伸長した上でコンピュータ装置１に送信することができる。
【００３９】
スキャナ10には電源40が含まれており，この電源40からの供給電圧によりスキャナ10に含まれる各回路が動作する。
【００４０】
図４は，スキャナ10の状態遷移図を示している。
【００４１】
スキャナ10は，スキャナ10のコンセント（図示略）をコンセントの差し込み口に差し込むことにより電源がオンとなる。
【００４２】
このリセット時において，スキャナ10にメモリ・カード50が装着されているとメモリ・カード50に記憶されている残容量を表すデータが読取られ制御装置30に与えられる。この残容量にもとづいて，メモリ・カード50に記憶できる原稿（画像を表す画像データ量）の枚数が算出される。具体的には次のようにして算出される。原稿の画像を表す画像データ量は，原稿の大きさにほぼ依存し，かつ圧縮率に依存する。リセット時において，過去に設定されていた原稿の大きさに対応する画像データ量に圧縮率を乗じたデータを用いてメモリ・カード50の残容量が除されることによりメモリ・カード50に記憶できる原稿の枚数が算出される。算出された原稿の枚数は「あとXX枚メモリ・カードに記憶できます。」というように表示領域20に表示される。
【００４３】
スキャナ10の電源がオンとなると，スキャナ10は一旦リセットされる。つづいて各種スイッチ13，14，15および16からの入力待ちの状態となる。
【００４４】
リセットされたあとコンピュータ装着検出回路36からの検出信号およびメモリ・カード装着検出スイッチ37からの検出信号が制御装置30に入力し，これらの検出信号にもとづいてスキャナ10にコンピュータ装置１が接続されているか，スキャナ10にメモリ・カード50が装着されているかどうかが検出される。スキャナ10にコンピュータ装置１が接続されていないときまたはスキャナ１にメモリ・カード50が装着されていないときにはいずれもその旨が画像表示領域23に表示される。また必要であれば，警告音も出力される。
【００４５】
モード・スイッチ13が一度押されると，画像データの出力先を指定する画像出力先指定モードとなる。画像出力先モードとなっている状態でスクロール・スイッチ16を動かすことにより，出力先表示領域21内の領域26と領域27との間を枠60が移動する。この枠60によって囲まれているメモリ・カードまたはコンピュータ装置が撮像によって得られた画像データの出力先を表わしている。また，画像データの出力先を自動に決定するオート・モードもあり，このオート・モードもスクロール・スイッチ16の操作により指定することができる。オート・モードが指定されたときにはあらかじめ定められた優先順位にしたがって画像データの出力先が決定する。
【００４６】
例えば，スキャナ10にメモリ・カード50が装着されているときには画像データがメモリ・カード50に記憶されるように切替回路34が切替えられる。メモリ・カード50がスキャナ10に装着されている場合でも，スキャナ10がコンピュータ装置１と接続されており，コンピュータ装置１からのコマンドによりスキャナ10が原稿の撮像を行なう場合には，撮像によって得られた画像データがインターフェイス35を介してコンピュータ装置１に入力するように切替回路34が制御される。スキャナ10にコンピュータ装置１が接続されており，メモリ・カード50がスキャナ10に装着されていないときには画像データはコンピュータ装置１に入力するように切替回路34が切替制御される。スキャナ10にコンピュータ装置１が接続されていず，かつメモリ・カード50も装着されていないときには，原稿の撮像は停止する。
【００４７】
画像データの出力先としてメモリ・カード50が選択されると，再び上述のようにメモリ・カード50に記憶できる原稿の枚数が算出され，表示画面20に表示される。
【００４８】
上述のようにスキャナ10は，ダイレクト・アクセスが可能である。ダイレクト・アクセスにもとづいてコンピュータ装置１から出力された画像データをスキャナ10に装着されているメモリ・カード50に記憶させるように画像データの出力先の指定およびメモリ・カード50に記憶されている画像データをスキャナ10に接続されているコンピュータ装置１に出力させるように画像データの出力先の指定を表す場合にはメモリ・カードのアイコンとコンピュータ装置のアイコンとの両方のアイコンが枠で囲まれ，かつ画像データの出力先が矢印で示される。
【００４９】
スクロール・スイッチ16によって選択される画像データの出力先またはオート・モードによって決定される画像データの出力先のコンピュータ装置１またはメモリ・カードが接続または装着されていないときには表示または音による警告が行われる。
【００５０】
モード・スイッチ13がもう一度押されると，画像データの圧縮率の設定モードに移行する。圧縮率の設定も画像データの出力先の設定と同様にスクロール・スイッチ16によって行われる。スクロール・スイッチ16を動かすことにより，表示画面上に，非圧縮，低圧縮または高圧縮のいずれかが表示される。いずれかが表示画面20に表示されているときにもう一度モード・スイッチ16が押されることにより画像データの圧縮率が決定する。
【００５１】
圧縮率が決定すると，決定した圧縮率を用いて上述したのと同様にして再びメモリ・カード50に記憶できる原稿の枚数が算出され，表示画面20に表示される。
【００５２】
このようにして画像データの出力先および圧縮率が設定されると再び各種スイッチからの入力待ちの状態となる。
【００５３】
画像データの出力先としてメモリ・カード50を指定したにもかかわらず，スキャナ10にメモリ・カード50が装着されていないときまたは画像データの出力先としてコンピュータ装置１を指定したにもかかわらず，スキャナ10にコンピュータ装置１が接続されていないときには表示または音による警告が行われる。
【００５４】
再生／消去スイッチ14が押されると，スキャナ10に装着されているメモリ・カード50に記憶されている画像データの再生が行われる。再生された画像データは，表示装置20に与えられ画像が表示される。また，再生／消去スイッチ14が一定時間よりも長い間押されると，スキャナ10に装着されているメモリ・カード10に記憶されている画像データが消去される。
【００５５】
メモリ・カード50に記憶されている画像データを消去すると残容量が増える。画像データの消去によって増えた残容量にもとづいて再びメモリ・カード50に記憶できる原稿の枚数が算出され，表示画面20に表示される。
【００５６】
スタート・ストップ・スイッチ15が一度押されると，スキャナ10に挿入された原稿の撮像動作が開始する。以下は画像データの出力先としてメモリ・カードが指定されたものとする。
【００５７】
原稿の撮像動作が行われ，上述のようにバッファ・メモリ24に撮像によって得られた画像データが記憶され，読み出されながらデータ圧縮が行われる。データ圧縮された画像データがメモリ・カード50に記憶される。原稿の撮像動作が終了すると原稿挿入口11から挿入された原稿が放出トレイ17に放出される。放出トレイ17に原稿が放出されると，再び各種スイッチの入力待ちの状態となる。
【００５８】
原稿の撮像動作中に，スキャナ10に装着されていたメモリ・カード50が抜かれると，原稿の撮像が中止され，表示および音による警告が行われて機械制御回路41により原稿が早送りされ放出トレイ17に放出される。
【００５９】
原稿の撮像中にスタート・ストップ・スイッチ15が一回押されると，このスイッチ15が押されるまでの間に撮像された画像を表す画像データがスキャナ10に装着されているメモリ・カード50に記憶される。また，原稿の撮像動作中にメモリ・カード50の容量が一杯となり画像データの記憶ができなくなったときには，表示および音による警告を行い，メモリ・カード50に記憶できるまで画像データをメモリ・カード50に記憶し，原稿を放出する。
【００６０】
原稿の撮像中にスタート・ストップ・スイッチ15が一定時間内に２回押されると，撮像によって得られた画像データをメモリ・カード50から消去する。この消去のあとに原稿が放出トレイ17から放出される。
【００６１】
スキャナ10のメモリ・カード挿入口12にメモリ・カード50の保護のために蓋を設けることもできる。この蓋を設けたときには，原稿の撮像中に蓋があけられると，それまでの撮像によって記憶された画像データをメモリ・カードから消去してもよい。この場合も画像データの消去のあとに原稿が放出トレイ17から放出される。
【００６２】
上述のように，原稿が放出トレイ17から放出されると，再びメモリ・カード50に記憶できる原稿の枚数が算出され，表示画面23に表示される。
【００６３】
さらに，メモリ42に記憶されている撮像情報にもとづいてメモリ・カード50に記憶できる原稿の枚数を算出することもできる。例えば，最後に撮像した原稿の大きさ（または原稿の画像を表す画像データ量）とメモリ・カード50の残容量とにもとづいてメモリ・カード50に記憶できる原稿の枚数を算出する。
【００６４】
さらに，撮像する原稿をあらかじめプリスキャンし，このプリスキャンによって原稿の大きさまたは原稿の画像を表す画像データ量を算出する。算出された画像データとメモリ・カード50の残容量とにもとづいてメモリ・カード50に記憶できる原稿の枚数を算出する。
【図面の簡単な説明】
【図１】コンピュータ装置とスキャナとが接続されている様子を示している。
【図２】スキャナの平面図である。
【図３】スキャナの電気的構成を示すブロック図である。
【図４】スキャナの動作を示す状態遷移図である。
【図５】原稿を表わす画像を多数のブロックに分ける様子を示す。
【図６】原稿を表わす画像のエッジ部分を示す。
【符号の説明】
１  コンピュータ装置
10  スキャナ
13  モード設定スイッチ
14  再生／消去スイッチ
15  スタート・ストップ・スイッチ
20  表示画面
24  バッファ・メモリ
30  制御装置
33  画像圧縮回路
34  切替回路
35  インターフェイス
50  メモリ・カード
【図１】
0003920984.tif 000002
【図２】
0003920984.tif 000003
【図３】
0003920984.tif 000004
【図４】
0003920984.tif 000005
【図５】
0003920984.tif 000006
【図６】
0003920984.tif 000007